(57)【要約】【課題】本発明は、家畜の種類に対応でき、夏季の暑さ対策に有効な畜舎用換気送風システムを提供することを目的とするものである。【解決手段】畜舎１の一方の壁面に設けられた複数の換気扇３を有する畜舎１において、前記一方の壁面と前記一方の壁面と対向する壁面以外の側面に、家畜の頭の高さ近傍に合わせた位置に開閉機構８を備えた複数の送風開口５を設け、前記開閉機構８が、複数の群に分割されて間欠に開閉制御可能であることを特徴とする畜舎用換気送風システム。【選択図】図１
2018121530.tif 000002
【特許請求の範囲】
【請求項１】
畜舎の一方の壁面に複数の換気扇を設けた畜舎において、
前記一方の壁面と前記一方の壁面と対向する壁面以外の側壁面に、
家畜の頭の高さ近傍に合わせて複数の送風開口を設けた畜舎用換気システムであって、
前記送風開口には開閉機構を備え、前記開閉機構が、複数の群に分割されて間欠に開閉制御可能であることを特徴とする畜舎用換気送風システム。
【請求項２】
前記複数の群ごとにガスセンサを備え、ガス濃度が所定の値以上になった群を検知し、前記群の送風開口の開口時間を、ガス濃度が所定の値未満の群の開口時間よりも長くなるように制御することを特徴とする請求項１記載の換気送風システム。
【請求項３】
畜舎内の温度が、所定の温度以上のときに、前記換気扇と前記開閉機構の制御により、家畜の頭の高さ近傍に風速３ｍ／ｓを越える気流が、間欠に送風されることを特徴とする請求項１または２に記載の畜舎用換気送風システム。
【発明の詳細な説明】
【技術分野】
【０００１】
本発明は、畜舎用換気送風システムに関するものである。
【背景技術】
【０００２】
従来、この種の畜舎に用いられる畜舎用換気については、例えば特許文献１のような換気装置や、特許文献２のようなトンネル換気鶏舎が知られている。
【０００３】
特許文献１の換気装置においては、図８に示すように、畜舎１０１内は一般的に床面の形状が長方形になっており、その短辺側の壁面に、畜舎内の空気を外部に排気する換気扇１０２が複数台設置されている。換気扇１０２が設置されている壁面とは反対側壁面には、畜舎１０１内に外気を供給するための外気用の吸込口１０３が設けられている。畜舎１０１内には、温度センサ１０４が複数、すなわち温度センサ１０４ａ〜１０４ｃが備えられている。この温度センサ１０４で検知した温度が高い場合には、換気扇１０２の回転数を上げ、この温度センサ１０４で検知した温度が低い場合には、換気扇１０２の回転数を下げるものが開示されている。
【０００４】
また、引用文献２のトンネル換気鶏舎では、図９に示すように、鶏舎２０１の一方の妻面に設けた給気口２０２から外気を取入れ、排気ファン２０３によって他方の妻面の排気口２０４から排出している。このようなトンネル換気鶏舎は、鶏舎長手方向の両側の側壁２０５の上部に補助入気口２０６を設けると共に、前記補助入気口２０６の鶏舎内側開口に入気調整板２０７を設け、前記入気調整板２０７の開閉及び開度を、鶏舎内の温度が均一になるように制御することにより、補助入気口２０６からの入気量を調整し、鶏舎内の温度を制御するものであった。
【先行技術文献】
【特許文献】
【０００５】
【特許文献１】特開２００６−１７４７９１号公報
【特許文献２】特許第３７０３１６８号公報
【発明の概要】
【発明が解決しようとする課題】
【０００６】
上記従来の畜舎用換気送風システムでは、家畜の飼育に適正な畜舎内風速を得るために、非常に多くの換気扇を設置する必要があり、設備が多くなるという問題点を有していた。
【０００７】
例えば、家畜が鶏（ブイロラー）である場合、飼育管理として、鶏の体感温度は、生後１〜１４日齢では、２６〜３２℃で気流は無し、１５〜３５日齢では、１９〜２６℃で気流の風速は１ｍ／ｓ以上、３６日齢以上では、１８〜１９℃で気流は風速１ｍ／ｓ以上で飼育する必要があることが一般的に知られている。
【０００８】
特に、成長した鶏である３６日齢〜出荷まで（約５０日齢）は暑さに弱いため、畜舎内温度が高い場合は、鶏の体感温度を下げるために風速３ｍ／ｓの気流を発生させなければならない。一般的な鶏用の畜舎（１０×４５ｍの約１５０坪の建築面積で、天井高さの平均値が３ｍ）で計算すると、畜舎内で気流の３ｍ／ｓを得るためには、５４００ｍ３／ｍｉｎの風量が必要であり、一般的な３００ｍ３／ｍｉｎの換気扇に換算すると１８台必要になる。
【０００９】
一方、成長した鶏に対しては、畜舎内温度の調整とは別に、酸素、二酸化炭素、アンモニアなどの臭気を含め、最適な空気環境を得るために、換気回数３０回／ｈで換気を行う必要がある。上記のような一般的な鶏用の畜舎では、最低必要な換気量は、６７５ｍ３／ｍｉｎである。すなわち、最低換気量で考えると、上記風速３ｍ／ｓを得るための換気扇の台数と比較すると、１／８の台数（２台程度）になる。
【００１０】
また、従来の方法は、補助入気口からの入気量を調整して鶏舎内の温度が均一になるように制御するものであり、家畜に最適な体感温度に着目し、所定位置の風速を増加させて家畜の体感温度を低下させることで家畜の飼育状態を改善することはできないものであった。
【００１１】
また、所定位置の風速を増加させる別の方法として、鶏舎を横断するように遮蔽カーテンを備え、風の流れ方向に対して鶏舎の断面上部をふさぐことで、家畜が育成されている下部の風速を増加させる方法が挙げられるが、カーテンの設置によって鶏舎内での作業者の動線が妨げられて作業性が低下し、頻繁なカーテン高さの変更には手間がかかるという課題があった。
【００１２】
そこで本発明では、畜舎内での最低換気量を維持し、かつ、家畜に最適な気流を与えることができる畜舎用換気送風システムを提供することを目的とする。
【課題を解決するための手段】
【００１３】
そして、この目的を達成するために、本発明は、畜舎の一方の壁面に設けられた複数の換気扇を有する畜舎において、前記一方の壁面と前記一方の壁面と対向する壁面以外の側面に、家畜の頭の高さ近傍に合わせた位置に開閉機構を備えた複数の送風開口を設け、前記開閉機構が、複数の群に分割されて間欠に開閉制御可能であることを特徴とする畜舎用換気送風システムとしたものであり、これにより所期の目的を達成するものである。
【発明の効果】
【００１４】
本発明によれば、風開口に備えた開閉機構の動作によって家畜に間欠送風することにより、酷暑であっても、鶏のストレス度合いが少なく、鶏の体温を効果的に下げることができ、飼育管理を向上させることができる。
【００１５】
また、畜舎内の温度が、所定の温度以上のときに、前記換気扇と前記開閉機構の制御により、家畜の頭の高さ近傍に風速３ｍ／ｓを越える気流が間欠に供給されるため、急速に家畜の体温を下げることができる畜舎用換気送風システムを提供できるものである。
【００１６】
このように、夏季の酷暑であっても、鶏のストレス度合いが少なく、鶏の体温を効果的に下げることができる畜舎用換気送風システムを提供することができる。
【図面の簡単な説明】
【００１７】
【図１】本発明の実施の形態１の畜舎用換気送風システムを示す側面断面図
【図２】同畜舎用換気送風システムを示す側面図
【図３】同畜舎用換気送風システムを示す平面断面図
【図４】本発明の実施の形態１のブロイラーの最適飼育温度を示す図
【図５】本発明の実施の形態１のブロイラーの風速による体感温度の低下温度を示す図
【図６】本発明の実施の形態１の畜舎内温度に対する畜舎内の対応風速を示す図
【図７】本発明の実施の形態１の１週間毎に測定した２０羽の平均体重を示す図
【図８】特許文献１の畜舎用換気送風機を示す概略図
【図９】特許文献２のトンネル換気鶏舎を示す概略図
【発明を実施するための形態】
【００１８】
本発明の請求項１に係る畜舎用換気送風システムは、畜舎の一方の壁面に設けられた複数の換気扇を有する畜舎において、前記一方の壁面と前記一方の壁面と対向する壁面以外の側面に、家畜の頭の高さ近傍に合わせた位置に開閉機構を備えた複数の送風開口を設け、前記開閉機構が、複数の群に分割されて間欠に開閉制御可能であることを特徴とするものである。
【００１９】
従来例では、換気扇の回転数を上下させて鶏舎全体の風量および家畜の頭の高さ近傍の風速を制御することは出来るが、特定範囲に位置して飼育される家畜の群れに対して局所的に風速を変動させることは困難であり、最低必要換気量に比べて多くの換気扇の設置が必要であった。鶏（ブイロラー）を例にとると、雛の段階では体格が小さいため鶏舎の一部に集約して飼育が行われ、成長段階に応じて体格が大きくなり飼育区画の面積を広げていき、３６日齢以上では鶏舎全体を使って飼育されることが多い。つまり、飼育段階または飼育数に応じて、局所風速を高めたい位置は変化する。鶏舎全体を最適化した換気システムでは換気量が大きくなりすぎ、細かな風量調整には適さないことになる。また、従来例でも換気扇の回転数を段階的に切り替えて風量変化をさせることはできたが、この場合風量の変動が大きく、仮に回転数を細かく制御して風速を微調整するためには複雑な制御回路が必要であり、多額の費用がかかるものとなっていた。
【００２０】
本発明では、鶏などの家畜に対して高風速を断続的にあてることが可能となり、酷暑における鶏の育成効果が高いものとなる。すなわち、風冷用の送風開口をすべて開けるのではなく、時間をずらして区画ごとに開／閉制御をすることで、特定範囲に位置する鶏に対する風速を一時的に上昇させ、急速な冷却効果を得ることができる。送風開口を複数の群に分割し相互に開閉動作を行うことで、換気扇は一定の運転速度を保ったまま、鶏に対して高風速・低風速を周期的に発生させて間欠での風冷効果を得ることができる。これにより、酷暑であっても、鶏のストレス度合いが少なく、鶏の体温を効果的に下げることができ、飼育管理を向上させることができる。また、鶏舎全体を高風速にするための必要風量に比べて大幅に少ない風量で、鶏に対して高風速を与えることができるため、鶏舎に必要な換気扇の台数を減らし、かつ省エネで酷暑対策を実現できる畜舎用換気送風システムを提供することができる。
【００２１】
また、請求項２に係わる畜舎用換気送風システムは、前記複数の群ごとにガスセンサを備え、ガス濃度が所定の値以上になった群を検知し、前記群の送風開口の開口時間を、ガス濃度が所定の値未満の群の開口時間よりも長くなるように制御するようにしても良い。
【００２２】
これにより、特に急速に家畜の体温を下げることができる畜舎用換気送風システムを提供することができる。
【００２３】
また、請求項３に係わる畜舎用換気送風システムは、畜舎内の温度が、所定の温度以上のときに、前記換気扇と前記開閉機構の制御により、家畜の頭の高さ近傍に風速３ｍ／ｓを越える気流が、間欠に送風されるようにしても良い。
【００２４】
これにより、ＣＯ２やアンモニアなどの家畜の呼気や糞尿を発生源とする家畜の成育にとって悪影響を及ぼすガスの濃度を低減することができる。家畜の呼吸域である頭の高さ近傍のガス濃度の低下により空気質が改善され、鶏のストレス度合いが少なく、さらに鶏の体重増加を良好に保つことができる畜舎用換気送風システムを得ることができる。
（実施の形態１）
以下、本発明の実施の形態について、図面を参照しながら説明する。
【００２５】
図１は本発明に係る鶏用の畜舎用換気送風システムの構成を示す側面断面図、図２は屋外から見た畜舎の側面図、図３は平面断面図である。
【００２６】
図１〜３に示すように、畜舎用換気送風システムは、畜舎１内に、換気扇３と、吸込口４と、送風開口５と、開閉機構８と、風速や温度やガス濃度を検知できるセンサ１０と、センサ１０の床下面からの高さを調整する高さ調節手段９と、畜舎内の風速と温度とガス濃度を集中的に管理制御する制御部１１とを備えている。
【００２７】
図１に示すように、換気扇３は、家畜（鶏（ブロイラー））２が飼育されている畜舎１の一方の壁面に、畜舎内の床面から１．５〜２ｍ程度の高さに複数台配設されている。
【００２８】
換気扇３は、畜舎１内の空気を外部に排出するように動作している。したがって、換気扇３を動作すると、他方の壁面に設けられた吸込口４から吸い込まれた外気は、畜舎１内をほぼ真直ぐに通風して、換気扇３によって畜舎外に排出される。
【００２９】
吸込口４は、換気扇３が配設されている壁面と対向する反対側壁面（他方の壁面）に、畜舎１の床面から１．５〜２ｍ程度の高さに配設されている。なお、吸込口４には、制御部１１からの信号または手動の操作で開閉できる吸込口カバーを設けて、鶏舎を密閉できるようにしても良い。
【００３０】
送風開口５は、図２、３に示すように、畜舎の側壁面１３を貫通して畜舎内外を連通するものである。送風開口５は、畜舎の側壁面１３に家畜としての鶏の頭の高さ近傍である床面から１０ｃｍ〜９０ｃｍ程度の高さに複数を備えている。
【００３１】
また、送風開口５は横長の開口部が好ましく、例えば、鶏舎の柱の間に高さ０．３ｍ、長さ１．７ｍからなる約０．５ｍ２の開口を複数備えていても良い。
【００３２】
図３の例では、鶏舎の側壁面に１２個の送風開口５を備えており、４個ずつ同時に開閉可能である。送風開口５を４個ずつの群に分けて、それぞれの群に含まれる送風開口５を別の群に含まれる送風開口５と区別する場合には送風開口５ａ、送風開口５ｂ、送風開口５ｃと記載する。
【００３３】
開閉機構８は、送風開口５それぞれをふさぐ蓋６と開閉軸７からなり、畜舎の側壁面  に備えている。
【００３４】
蓋６は板状で、送風開口５の上端部に開閉軸７を介して接続されている。制御部１１の信号の基づき開閉機構８の蓋６を開閉する場合、蓋６にワイヤーをつなぎ、モータを使ってワイヤーを上下に巻き取ることで開閉制御が可能である。なお、開閉軸７にギアとモータを接続し、モータの回転方向を制御することで開閉制御をしてもよい。また別の開閉機構８として、上下に移動可能なスクリーン式カーテンで送風開口５をふさいでも良い。
【００３５】
つまり、本実施の形態では、送風開口５は複数の群に分割されて制御部１１によって制御され、図２の例では送風開口５ａ、５ｂ、５ｃごとに開閉動作ができる。
【００３６】
本実施の形態では、風速が３００ｍ３／ｍｉｎの換気扇３台を動かすと、鶏舎の合計風量は９００ｍ３／ｍｉｎであり、高さ０．５ｍ、長さ４．０ｍからなる約２ｍ２の吸込口４を開けた状態で、開閉機構８によって、開口面積０．５ｍ２×４個の送風開口５ａを開けると、送風開口５ａの面風速は３．７ｍ／ｓとなる。送風開口５ａから吸込まれた空気は、鶏２ａの頭の高さ近傍を高速で移動して一方の壁面方向にある換気扇３に向かって床面に対して水平に送風される。このとき鶏２ａへの冷却効果とＣＯ２やアンモニア等の排出効果を与えることができる。
【００３７】
高さ調整手段９とセンサ１０は、複数の送風開口５の下流側のそれぞれには、設けられている。高さ調整手段９は、ジャッキ等の手動もしくは自動で上下できるものである。本実施の形態では、センサ１０が設置される高さは、家畜の頭上の高さに合わせた高さとしている。具体的には、成長した鶏の身長であれば約３０ｃｍであるため、センサ１０の位置は、床面から３０ｃｍの高さもしくは、それよりも少し高い位置（例えば３１〜５０ｃｍ程度）に設定し、温度やガス（ＣＯ２、アンモニアなど）を検知するように設定している。図３に示すようにセンサ１０は、送風開口５ａ、５ｂ、５ｃに対応して備え、それぞれセンサ１０ａ、１０ｂ、１０ｃとしている。
【００３８】
なお、制御部１１は、ＣＰＵ、メモリ記憶装置、ディスプレイ、及びキーボード等から構成されている。また、制御部１１は、図示しないが、無線接続または有線接続により、換気扇３、吸込口４、高さ調整手段９、及びセンサ１０ａ〜ｃと接続されている。なお、制御部１１は、畜舎１以外の場所に設置されているものとする。
【００３９】
ここで、畜舎用換気送風システムの動作について説明する。
【００４０】
畜舎１内の基本的な換気量としては、飼育されている家畜の種類、成長度合いによって、最低必要な酸素濃度、もしくは二酸化炭素濃度の上限値が決まっており、その濃度を確保するための換気量から、必要な換気扇の台数を選定し設置される。
【００４１】
上記構成において、換気扇３を運転することで、畜舎１内の空気が排出され、吸込口４から畜舎１内へ外気が流入し、畜舎１内の換気が行なわれる。
【００４２】
鶏舎側面の送風開口５を開けた場合、送風開口５から吸込まれた空気は、換気扇３を備えた一方の壁面方向へ向かって、鶏の頭の高さ近傍を床面に対して水平で、かつ高速で移動する。
【００４３】
制御部１１は、家畜が鶏（ブイロラー）である場合、検出した風速と温度とガス濃度に基づいて、生後日齢に対応した換気扇３、吸込口４、開閉機構８の状態管理をしている。
【００４４】
例えば、鶏（ブイロラー）の生後１〜１４日齢では、２６〜３２℃で気流が無い状態が最適であり、制御部１１は、吸込口４を開き、送風開口５を閉じた状態で、複数の換気扇３のうちの一部の換気扇３のみを動作させる制御を指示することにより、畜舎１内の温度を２６〜３２℃に維持管理する。なお、吸込口４と一部の換気扇３だけの換気の場合、畜舎１の床面近辺には、ほとんど風が流れない。
【００４５】
また、１５〜３５日齢では、１９〜２６℃で気流の風速は１ｍ／ｓ以上の状態が最適であり、制御部１１は、高さ調整手段９によりセンサ１０を１５ｃｍ程度の高さに自動調整し、風速１ｍ／ｓ程度で動作するように、吸込口４を開き、送風開口５ａ〜ｃの開口量と換気扇３の動作を調整する。
【００４６】
また、成長した鶏である３６日齢〜出荷まで（約５０日齢）は、１７〜１８℃で気流は風速１ｍ／ｓ以上の状態が最適であり、制御部１１は、高さ調整手段９により、センサ１０を３０ｃｍ程度の高さに自動調整し、風速１ｍ／ｓ程度で動作するように制御を指示する。センサ１０ａ〜ｃの情報に基づき、制御部１１により３０ｃｍ程度の高さにおいて１７〜１８℃になるように、吸込口４を開き、送風開口５の開口量と、換気扇３の動作を制御する。しかし、３６日齢〜出荷まで（約５０日齢）の成長した鶏は、暑さに弱いため、吸込口４と、送風開口５の開口量と換気扇３の動作だけでは３０ｃｍ程度の高さにおいて１７〜１８℃にならない場合（例えば、夏季の暑い日）がある。その時には、鶏の体感温度を下げるために、吸込口４を閉じ、送風開口５の一部のみ（図２および図３の例では送風開口５ａ）を開く。このように動作させると、送風開口５ａの周囲にいる家畜２には、風速３ｍ／ｓ以上で動作する風を作成することができる。そこで送風開口５ａ、５ｂ、５ｃを順に開閉していくことで、開口された送風開口部の周囲の風速が一時的に上昇し、鶏を急速に冷却することができる。
【００４７】
さらに成長した鶏である３６日齢〜出荷まで（約５０日齢）は、暑さに弱いため、急速に鶏の体感温度を下げる必要がある。前述した、換気扇３を全て作動させた上で、送風開口５ａ、５ｂ、５ｃを順に開閉していくことで、開口された送風開口部の周囲の風速が一時的に風速３ｍ／ｓよりも速い風速、本実施の形態では風速４ｍ／ｓ程度で動作させることができ、鶏への冷却効果をさらに高めることができる。風速３ｍ／ｓを超える気流を成長した鶏に与えると、成長した鶏にストレスが発生することが一般的に知られているため、風速４ｍ／ｓ程度の風を常時発生させるのではなく、所定時間間隔で風速を変動させる。この間欠の送風制御は、風速４ｍ／ｓと送風停止とを繰り返す制御や、風速４ｍ／ｓと風速３ｍ／ｓとを繰り返す制御でもよい。また、成長した鶏のストレスの度合の情報を予め制御部１１内の記憶装置に記憶しておき、記憶装置に予め記憶されているストレスの度合の情報とセンサ１０ａ〜ｃからの測定情報とを比較し、成長した鶏のストレス度合いを予測して間欠送風制御を行ってもよい。なお、制御部１１内の記憶装置に予め記憶されるストレスの度合の情報は、温度、湿度、気流の状態（風速）、ガス濃度（ＣＯ２、アンモニアなど）、それぞれに関連する時間、及びそれぞれの組み合わせにおける成長した鶏のストレス状態を対応表情報として記憶されているものとし、制御部１１から制御を行っている。
【００４８】
成長した鶏のストレス度合いは、外部状況により変わるものであるが、本実施の形態では、例えば、風速４ｍ／ｓ程度で１分間、風速３ｍ／ｓ程度で２分間の送風を交互に繰り返す間欠送風制御を行うものとする。
【００４９】
さらに、成長した鶏に対しては、畜舎１内温度が適温であれば、酸素、二酸化炭素、アンモニアなどの臭気を含め、最適な空気環境を得るために、換気回数３０回／ｈを行う必要があり、この場合、一般的な鶏用の畜舎で必要な最低換気量は、６７５ｍ３／ｍｉｎであるため、一般的な換気扇を３台程度分の風量を生成するだけの換気扇３を動作するように制御部１１から制御する。
【００５０】
次に、具体的な畜舎内温度に対する換気扇３の制御方法の一例を示す。
【００５１】
図４は、鶏（ブロイラー）を飼育するために、２２日齢以降の日齢毎の最適飼育温度を示している。図５は、風速による体感温度の低下温度の一例を示している。図６は、鶏が２２日齢時の畜舎内温度に対する畜舎内の対応風速の関係の一例を示している。
【００５２】
図４に示す通り、鶏は成長するに従い、最適温度が低くなっているが、夏季の暑い日は、最適飼育温度よりも外気温度が高くなり、その場合、送風によって、鶏の体感温度を下げる必要がある。
【００５３】
図５に、風速による体感温度の低下温度の一例を示している。体感温度は、湿度と風速の組み合わせによって異なる。図５では、湿度５０％且つ風速０ｍ／ｓ時の畜舎内温度を体感温度の基準とした場合、湿度８０％時に風速に対する畜舎内温度の体感として感じる温度を示している。例えば、湿度８０％且つ風速０ｍ／ｓ時は、前述の基準である湿度５０％且つ風速０ｍ／ｓ時と比較すると体感温度は３．９℃高く、湿度８０％且つ風速３ｍ／ｓ時は、前述の基準より６．９℃低い温度と感じることを示している。
【００５４】
鶏が２２日齢時の制御方法の一例を図６に基づいて説明すると、湿度８０％で、畜舎内温度が、２９．９℃時には、制御部１１は、センサ１０ａ〜ｃからの情報で畜舎内温度が２９．９℃であることを検知し、図６の畜舎内温度に対する畜舎内の対応風速の関係に基づき、センサ１０付近の風速を２．５ｍ／ｓにしている。つまり、図５に示す体感温度の低下温度の一例に基づくと、風速２．５ｍ／ｓにすることにより、鶏の体感温度が−５．９℃となり、実質２４℃となる。即ち、図４の最適飼育温度に示す通り、２２日齢の鶏に対して２４℃で飼育できることになる。
【００５５】
その後、畜舎内温度が、３０．８℃まで上昇すると、制御部１１は、センサ１０ａ〜ｃからの情報で畜舎内温度が３０．８℃であることを検知し、図６の畜舎内温度に対する畜舎内の対応風速の関係に基づき、センサ１０付近の風速を３．０ｍ／ｓにしている。つまり、図５に示す体感温度の低下温度の一例に基づくと、風速３．０ｍ／ｓにすることにより、鶏の体感温度が−６．９℃となり、実質２３．９℃となる。即ち、図４の最適飼育温度に示す通り、２２日齢の鶏に対して、ほぼ２４℃で飼育できることになる。
【００５６】
さらにその後、畜舎内温度が、２９．８℃まで低下すると、制御部１１は、センサ１０ａ〜ｃからの情報で畜舎内温度が２９．８℃であることを検知し、図６の畜舎内温度に対する畜舎内の対応風速の関係に基づき、センサ１０付近の風速を２．５ｍ／ｓにしている。つまり、図５に示す体感温度の低下温度の一例に基づくと、風速２．５ｍ／ｓにすることにより、鶏の体感温度が−５．９℃となり、実質２４℃となる。即ち、図４の最適飼育温度に示す通り、２２日齢の鶏に対して、２４℃で飼育できることになり、常にブロイラーの体感温度を図４に示す最適飼育温度で飼育できるように制御している。
【００５７】
しかしながら、通常の畜舎では、風速３ｍ／ｓ以上の風速を与えると、前述した通り鶏がストレスを感じると言われているが、畜舎内温度が３０．８℃以上に上昇した場合、畜舎内の風速は３．０ｍ／ｓとしている。
【００５８】
しかし、本発明の実施の形態では、畜舎内温度が３２．０℃まで上昇すると、制御部１１は、センサ１０ａ〜ｃからの情報で畜舎内温度が３２．０℃であることを検知し、図６の畜舎内温度に対する畜舎内の対応風速の関係に基づき、センサ１０付近の風速を３．０〜４．０ｍ／ｓの間欠で風速を変更するようにしている。これにより、鶏へのストレスを低減しつつ、より強い風速を与えることで、暑さ対策が可能になる。
【００５９】
具体的な間欠送風制御としては、畜舎内温度が３２．０℃以上のときは、風速３．０ｍ／ｓを３分間送風したのち、風速４．０ｍ／ｓを３分間送風し、また風速３．０ｍ／ｓを３分間送風することを繰り返し行い、畜舎内温度が３０．８℃に下がったときに、通常の３．０ｍ／ｓの風速を連続に送風するといった制御を行なう。
【００６０】
なお、ガスセンサを備え、ガス濃度が所定の値以上になった場所を検知し、その場所の送風開口５の開口時間を、他の位置の開口時間よりも長くしてもよい。例えば、送風開口５ａから順に５ｂ、５ｃの順番で開閉を行っていたときに、送風開口５ｃに対応するセンサ１０ｃのガス濃度が、設定した所定濃度を上回ったときには、送風開口５ｃの開口時間を他の送風開口５ａ・５ｂに加えて＋１分長く開くことによって換気量を増やし、鶏舎から発生する鶏の育成に有害なガスを低減させることができる。
【００６１】
この間欠送風制御が鶏へストレスを与えないことについて、実証実験を行なった。  畜舎（４．６ｍ×３．７ｍ×高さ２．４ｍ）を２つ用意し、その畜舎内に、それぞれ飼育エリア（２．６ｍ×２．６ｍ）を設け、それぞれ鶏を１００羽飼育した。なお、鶏は２１日齢までは、別の畜舎で雛から飼育されていたもので、２２日齢に、それぞれの畜舎の平均体重同じ（約７５０ｇ）になるように１００羽ずつ振り分けし、それぞれの畜舎の鶏から、７５０ｇに近い鶏を各２０羽抽出し、２０羽の平均の体重を測定した。
【００６２】
前述の一方の畜舎では、壁面に設置した換気扇３のみを用い、一般的な風速の与え方である３ｍ／ｓまでの通常の風速制御で飼育した。
【００６３】
また、他方の畜舎は、図１〜３と同様に壁面に設置した換気扇３と、床面から３０〜５０ｃｍ程度の高さに調整できるセンサ１０を設置した。他方の畜舎は、前述したように、畜舎内温度が３２．０℃以上になったときに、吸込口４を閉じ、送風開口５の一部のみ（図２および図３の例では送風開口５ａ）を間欠かつ周期的に開閉動作を行う。これにより、センサ１０の周囲に風速３．０ｍ／ｓと風速４．０ｍ／ｓを交互に発生させる制御を行なった。
【００６４】
それぞれの環境で飼育した鶏を１週間毎に２０羽の平均体重を測定した結果を図７に示す。その結果、畜舎内温度が３２．０℃以上になったときに、風速３．０ｍ／ｓと風速４．０ｍ／ｓを交互に発生させる制御を行なった他方の畜舎の方が、４９日齢時点で体重の増加が大きかった。つまり、風速３．０ｍ／ｓと風速４．０ｍ／ｓを交互に間欠送風制御を行なった鶏は大きなストレスを受けていなかったと判断できる。
【００６５】
本実施の形態では家畜を鶏として説明したが、家畜の種類としては複数あり、鶏以外の豚や牛もそれぞれの頭上の高さに送風機を設置することで同様の効果を奏することができる。
【産業上の利用可能性】
【００６６】
以上のように本発明にかかる畜舎用換気送風システムは、送風開口に備えた開閉機構の動作によって間欠送風することにより、酷暑であっても、鶏のストレス度合いが少なく、鶏の体温を効果的に下げることができ、飼育管理を向上させることができるので、畜舎用換気送風システムとして有用である。
【符号の説明】
【００６７】
１    畜舎
２    家畜
２a，２b，２c    鶏
３    換気扇
４    吸込口
５    送風開口
５ａ，５ｂ，５ｃ    送風開口
６    蓋
７    開閉軸
８    開閉機構
９    高さ調整手段
１０    センサ
１０ａ，１０ｂ，１０ｃ    センサ
１１    制御部
１０１    畜舎
１０２    換気扇
１０３    吸込口
１０４    温度センサ
２０１    鶏舎
２０２    給気口
２０３    排気ファン
２０４    排気口
２０５    側壁
２０６    補助入気口
２０７    入気調整板
【図１】
2018121530.tif 000003
【図２】
2018121530.tif 000004
【図３】
2018121530.tif 000005
【図４】
2018121530.tif 000006
【図５】
2018121530.tif 000007
【図６】
2018121530.tif 000008
【図７】
2018121530.tif 000009
【図８】
2018121530.tif 000010
【図９】
2018121530.tif 000011